(57)【要約】【課題】  ビス等の別部材を必要とせずにスイッチ基板をフロントキャビネットとリアキャビネットに取り付けることができ、構造が簡単でコストダウンを図ることができる。【解決手段】  テレビジョン受像機のフロントキャビネット１内面に複数設けられた梁２の上部のリブ３にスイッチ基板４の一端部が入り込む溝部３ａが設けられ、リアキャビネット５の内面の上部に複数設けられたリブ６にスイッチ基板の他端部が入り込む溝部６ａが設けられ、溝部は各リブの奥行き方向途中まで設けられ、フロントキャビネット側のリブの溝部とリアキャビネット側のリブの溝部とにスイッチ基板が架け渡されて保持され、スイッチ基板から下部に配置されたメイン基板まで配線８がほぼ垂下状態で架け渡され、この配線はフロントキャビネット或いはリアキャビネットの内面とリブの溝部に架け渡されたスイッチ基板の端部との間の隙間７に通されてほぼ垂下状態で架け渡されている。【選択図】  図１
2008199329.tif 000002
【特許請求の範囲】
【請求項１】
テレビジョン受像機内の上部に配置されるスイッチ基板をフロントキャビネットとリアキャビネット間に配置して取り付けるようにしたテレビジョン受像機におけるスイッチ基板の取付構造において、前記テレビジョン受像機は薄型テレビジョンからなり、前記フロントキャビネットの内面に複数設けられた梁の上部のリブに前記スイッチ基板の一端部が入り込む溝部が設けられると共に前記リアキャビネットの内面の上部に複数設けられたリブに前記スイッチ基板の他端部が入り込む溝部が設けられており、前記溝部は前記各リブの奥行き方向途中まで設けられ、前記フロントキャビネット側のリブの溝部と前記リアキャビネット側のリブの溝部とに前記スイッチ基板が架け渡されて保持され、この状態で前記スイッチ基板から下部に配置されたメイン基板まで配線がほぼ垂下状態で架け渡されるように構成され、この配線は前記フロントキャビネット或いはリアキャビネットの内面と前記リブの溝部に架け渡された前記スイッチ基板の端部との間の隙間に通されてほぼ垂下状態で架け渡されていることを特徴とするテレビジョン受像機におけるスイッチ基板の取付構造。
【請求項２】
テレビジョン受像機内の上部に配置されるスイッチ基板をフロントキャビネットとリアキャビネット間に配置して取り付けるようにしたテレビジョン受像機におけるスイッチ基板の取付構造において、前記フロントキャビネットの内面の上部に複数設けられたリブに前記スイッチ基板の一端部が入り込む溝部が設けられると共に前記リアキャビネットの内面の上部に複数設けられたリブに前記スイッチ基板の他端部が入り込む溝部が設けられており、前記各キャビネットの内面上部のリブの溝部に前記スイッチ基板が架け渡されることにより、前記スイッチ基板が前記各溝部に保持された状態で取り付けられていることを特徴とするテレビジョン受像機におけるスイッチ基板の取付構造。
【請求項３】
前記スイッチ基板における前記リブの溝部と対応する箇所に薄溝が形成され、前記スイッチ基板を前記各キャビネットの内面のリブの溝部に入り込んだ状態で、前記スイッチ基板の薄溝が前記各リブの溝部より奥側に入り込むことにより、前記スイッチ基板が位置決めされた状態で架け渡されて取り付けられている請求項２に記載のテレビジョン受像機におけるスイッチ基板の取付構造。
【発明の詳細な説明】
【技術分野】
【０００１】
本発明は、テレビジョン受像機内の上部に配置されるスイッチ基板をフロントキャビネットとリアキャビネット間に配置して取り付けるようにしたテレビジョン受像機におけるスイッチ基板の取付構造に関するものである。
【背景技術】
【０００２】
従来、テレビジョン受像機内の上部に配置されるスイッチ基板は、ファクションノブにビス止めで固定されていた。しかしながら、ビスを必要とするためにコスト高になるという問題があった。
【０００３】
第１の従来技術を図３に示す。この従来のキャビネットにおけるプリント基板の止着構造は、図３に示すように、キャビネット１０２に対向する内面１０３に対を成してリブ１０４ａ、１０４ｂを形成し、リブ１０４ａ、１０４ｂ間にホルダー１０５を装着し、ホルダー１０５の止着片１０７にプリント基板１０１を止着具１０８を介して止着するものである。（例えば、特許文献１参照）。
【０００４】
ところが、これにおいては、ホルダー１０５と止着具１０８を必要とし、部品点数が多くて構造が複雑であり、コスト高になるという問題があった。
【０００５】
第２の従来技術を図４（ａ）（ｂ）、図５（ａ）（ｂ）、図６に示す。この従来の配線基板取付構造は、図４（ａ）（ｂ）、図５（ａ）（ｂ）、図６に示すように、フロントキャビネット１１０に、配線基板２００を挿入可能な上下一対の溝部３１０からなるフロント基板取付部３００を設け、一対のフロント基板取付部３００の間に、配線基板２００に設けられた開口２３０と嵌合する突起部３３１を設けた仮止め部材３３０を設ける。リアキャビネット１６０にも、配線基板２００を挿入可能な上下一対の溝部４１０からなるリア基板取付部４００を設ける。リア基板取付部４００の左右両側に、配線基板２００を左右から、リア基板取付部４００の溝部４１０に誘導する第１のガイド部４５０を設け、下側のリア基板取付部４００の下側には、配線基板２００を下方からリア基板取付部４００の溝部４１０に誘導するための第２のガイド部４６０を設ける。（例えば、特許文献２参照）。
【０００６】
ところが、これにおいては、スイッチ基板に関するものではなく、配線基板２００の取付構造に関するものであり、また、構造が複雑であった。
【０００７】
第３の従来技術を図７に示す。この従来のプリント基板の保持構造は、図７に示すように、キャビネット３０１の内部に専用のラック３０４を形成し、これにプリント基板３０３を挿入するものである。（例えば、特許文献３参照）。
【０００８】
ところが、これにおいては、スイッチ基板に関するものではなく、キャビネット３０１の内部の下側に配置するプリント基板３０３に関するものであり、また、ラック３０４を必要とするものであった。
【特許文献１】実開平６−４４１９３号公報
【特許文献２】特開平１０−１１２５８８号公報
【特許文献３】実開昭５７−３１８８９号公報
【発明の開示】
【発明が解決しようとする課題】
【０００９】
本発明は、上記従来の問題に鑑みてなされたものであって、ビス等の別部材を必要とせずにスイッチ基板をテレビジョン受像機のフロントキャビネットとリアキャビネットに取り付けることができ、構造が簡単であって、コストダウンを図ることができるテレビジョン受像機におけるスイッチ基板の取付構造を提供することを目的としている。
【課題を解決するための手段】
【００１０】
本発明は、上記課題を解決するために提案されたものであって、請求項１に記載の発明は、テレビジョン受像機内の上部に配置されるスイッチ基板をフロントキャビネットとリアキャビネット間に配置して取り付けるようにしたテレビジョン受像機におけるスイッチ基板の取付構造において、前記テレビジョン受像機は薄型テレビジョンからなり、前記フロントキャビネットの内面に複数設けられた梁の上部のリブに前記スイッチ基板の一端部が入り込む溝部が設けられると共に前記リアキャビネットの内面の上部に複数設けられたリブに前記スイッチ基板の他端部が入り込む溝部が設けられており、前記溝部は前記各リブの奥行き方向途中まで設けられ、前記フロントキャビネット側のリブの溝部と前記リアキャビネット側のリブの溝部とに前記スイッチ基板が架け渡されて保持され、この状態で前記スイッチ基板から下部に配置されたメイン基板まで配線がほぼ垂下状態で架け渡されるように構成され、この配線は前記フロントキャビネット或いはリアキャビネットの内面と前記リブの溝部に架け渡された前記スイッチ基板の端部との間の隙間に通されてほぼ垂下状態で架け渡されていることを特徴としている。
【００１１】
請求項２に記載の発明は、テレビジョン受像機内の上部に配置されるスイッチ基板をフロントキャビネットとリアキャビネット間に配置して取り付けるようにしたテレビジョン受像機におけるスイッチ基板の取付構造において、前記フロントキャビネットの内面の上部に複数設けられたリブに前記スイッチ基板の一端部が入り込む溝部が設けられると共に前記リアキャビネットの内面の上部に複数設けられたリブに前記スイッチ基板の他端部が入り込む溝部が設けられており、前記各キャビネットの内面上部のリブの溝部に前記スイッチ基板が架け渡されることにより、前記スイッチ基板が前記各溝部に保持された状態で取り付けられていることを特徴としている。
【００１２】
請求項３に記載の発明は、請求項２に記載の発明において、前記スイッチ基板における前記リブの溝部と対応する箇所に薄溝が形成され、前記スイッチ基板を前記各キャビネットの内面のリブの溝部に入り込んだ状態で、前記スイッチ基板の薄溝が前記各リブの溝部より奥側に入り込むことにより、前記スイッチ基板が位置決めされた状態で架け渡されて取り付けられている。
【発明の効果】
【００１３】
請求項１に記載の発明によれば、薄型のテレビジョン受像機のフロントキャビネット内面の複数の梁の上部のリブに設けられた溝部と、リアキャビネット内面の上部の複数のリブに設けられた溝部との間にスイッチ基板が架け渡されて保持されているから、ビス等の別部材を必要とせず、部品点数を削減することができて構造を簡単化することができ、コストダウンを図ることができる。また、スイッチ基板から下部のメイン基板に垂下状態で架け渡される配線が、フロントキャビネット或いはリアキャビネットの内面とリブの溝部に架け渡されたスイッチ基板の端部との間の隙間に通すことができるから、配線の処理に支障をきたすことがない利点がある。
【００１４】
請求項２に記載の発明によれば、テレビジョン受像機のフロントキャビネット内面の上部の複数のリブに設けられた溝部とリアキャビネット内面の上部の複数のリブに設けられた溝部との間にスイッチ基板が架け渡されて保持されているから、ビス等の別部材を必要とせず、部品点数を削減することができて構造を簡単化することができ、コストダウンを図ることができる。
【００１５】
請求項３に記載の発明によれば、スイッチ基板におけるリブと対応する箇所に薄溝が形成されているから、このスイッチ基板の薄溝を各キャビネットの内面のリブの溝部より奥側に入り込むことにより、スイッチ基板を位置決めすることができてスイッチ基板の取り付け作業が行い易いと共にスイッチ基板がずれることを防ぐことができる。
【発明を実施するための最良の形態】
【００１６】
以下、本発明に係るテレビジョン受像機におけるスイッチ基板の取付構造の実施の形態について、図を参照しつつ説明する。
【００１７】
図１は本発明の第１実施形態のテレビジョン受像機におけるスイッチ基板の取付構造を示し、（ａ）はそのスイッチ基板を取り付ける前の状態を示す部分断面図、（ｂ）はそのスイッチ基板を取り付けた状態の部分断面図、（ｃ）はそのスイッチ基板の端部をリアキャビネットに取り付けて配線処理した状態の部分斜視図である。
【００１８】
この第１実施形態のテレビジョン受像機におけるスイッチ基板の取付構造は、図１（ａ）に示すように、上面にスイッチ類（図示略）が配置された薄型テレビジョン受像機からなり、フロントキャビネット１の内面に複数設けられた梁２の上部のリブ３に、スイッチ基板４の一端部が入り込む水平向きの溝部３ａが設けられると共にリアキャビネット５の内面の上部に複数設けられたリブ６に、スイッチ基板４の他端部が入り込む水平向きの溝部６ａが設けられている。溝部３ａ、６ａは各リブ３、６の奥行き方向途中まで設けられている。図１（ｂ）に示すように、フロントキャビネット１にリアキャビネット５が取り付けられた状態では、フロントキャビネット１の内面の上部の複数のリブ３の溝部３ａにスイッチ基板４の一端部が入り込み、リアキャビネット５の内面の上部の複数のリブ６の溝部６ａにスイッチ基板４の他端部が入りこんで、スイッチ基板４が保持される。また、図１（ｃ）に示すように、リアキャビネット５の内面の上部の複数のリブ６の溝部６ａにスイッチ基板４の他端部が入り込んだ状態では、リアキャビネット５の内面とスイッチ基板４の他端部との間に隙間７が生じ、この隙間７にスイッチ基板４の表面から下部のメイン基板（図示略）に垂下状態で架け渡される配線８が通されるようになっている。尚、この配線８はフロントキャビネット１の内面とスイッチ基板４の一端部との間の隙間（図示略）に通すことも可能である。
【００１９】
従って、この第１実施形態によれば、薄型のテレビジョン受像機のフロントキャビネット１の内面の複数の梁２の上部のリブ３に設けられた溝部３ａと、リアキャビネット５の内面の上部の複数のリブ６に設けられた溝部６ａとの間にスイッチ基板４が架け渡されて保持されているから、ビス等の別部材を必要とせず、部品点数を削減することができて構造を簡単化することができ、コストダウンを図ることができる。また、スイッチ基板４から下部のメイン基板に垂下状態で架け渡される配線８が、リアキャビネット５の内面とリブ６の溝部６ａに架け渡されたスイッチ基板４の端部との間の隙間７に通すことができるから、配線８の処理に支障をきたすことがない利点がある。また、この配線８をフロントキャビネット１の内面とリブ３の溝部３ａに架け渡されたスイッチ基板４の端部との間の隙間（図示略）に通しても同様に配線８の処理に支障をきたすことがない。
【００２０】
図２は第２実施形態のテレビジョン受像機におけるスイッチ基板の取付構造の部分分解斜視図である。
【００２１】
この第２実施形態のテレビジョン受像機におけるスイッチ基板の取付構造は、図２に示すように、スイッチ基板４における各リブ３、６の溝部３ａ、６ａに対応する箇所に薄溝４ａが形成されている。そして、図２の状態からスイッチ基板４を各キャビネット１、５の内面のリブ３、６の溝部３ａ、６ａより奥側に入り込ませると、スイッチ基板４が位置決めされる。
【００２２】
従って、この第２実施形態によれば、スイッチ基板４に設けた薄溝４ａによって、スイッチ基板４が位置決めされることにより、スイッチ基板４の取り付け作業が行い易いと共にスイッチ基板４がずれることを防ぐことができる。
【００２３】
尚、上記実施形態では、薄型のテレビジョン受像機について説明したが、これに限らず、奥行きのある他のテレビジョン受像機にも適用できることは勿論である。
【図面の簡単な説明】
【００２４】
【図１】本発明の第１実施形態のテレビジョン受像機におけるスイッチ基板の取付構造を示し、（ａ）はそのスイッチ基板を取り付ける前の状態を示す部分断面図、（ｂ）はそのスイッチ基板を取り付けた状態の部分断面図、（ｃ）はそのスイッチ基板の端部をリアキャビネットに取り付けて配線処理した状態の部分斜視図である。
【図２】第２実施形態のテレビジョン受像機におけるスイッチ基板の取付構造の部分分解斜視図である。
【図３】従来のキャビネットにおけるプリント基板の止着構造を示す部分側面図である。
【図４】従来の配線基板取付構造を示し、（ａ）はそのフロントキャビネットのフロント基板取付部を示す概略正面図、（ｂ）はその概略側面図である。
【図５】（ａ）は同取付構造によって取り付けられる配線基板の概略斜視図、（ｂ）は同取付構造のフロントキャビネットのフロント基板取付部に配線基板を取り付ける状態を示す部分斜視図である。
【図６】同取付構造のリアキャビネットのリア基板取付部を示す概略正面図である。
【図７】従来のプリント基板の保持構造におけるラックでプリント基板を保持する状態を示す斜視図である。
【符号の説明】
【００２５】
１        フロントキャビネット
２        梁
３        リブ
３ａ      溝部
４        スイッチ基板
４ａ      薄溝
５        リアキャビネット
６        リブ
６ａ      溝部
７        隙間
８        配線
【図１】
2008199329.tif 000003
【図２】
2008199329.tif 000004
【図３】
2008199329.tif 000005
【図４】
2008199329.tif 000006
【図５】
2008199329.tif 000007
【図６】
2008199329.tif 000008
【図７】
2008199329.tif 000009